(57)【要約】【課題】バリア部の通過部と表示部に表示する画像を同期して切り替えることにより、表示画像の分解能を向上させる。【解決手段】複数の視点に対する画像を表示する画像表示装置は、画像を表示する画像表示部と、画像表示部が表示した画像を通過させる複数の通過部、および、画像表示部が表示した画像を遮蔽する複数の遮蔽部が、画像表示部の表示面に対向して予め定められた配列で形成され、且つ、画像表示部の表示面と平行な面内における前記複数の通過部の位置が、予め定められた時間毎に切り替わるバリア部と、バリア部における複数の通過部の位置の切り替わりに対応して、複数の視点に対して表示すべき複数の視点毎画像のそれぞれにおいて、バリア部における複数の通過部の位置に応じた位置の画像領域を抽出し、抽出した画像領域を予め定められた配列に応じた配列で並べた表示用画像を画像表示部に表示させる画像処理部とを備える。【選択図】図２
2011158722.tif 000002
【特許請求の範囲】
【請求項１】
複数の視点に対する画像を表示する画像表示装置であって、
画像を表示する画像表示部と、
前記画像表示部が表示した画像を通過させる複数の通過部、および、前記画像表示部が表示した画像を遮蔽する複数の遮蔽部が、前記画像表示部の表示面に対向して予め定められた配列で形成され、且つ、前記画像表示部の表示面と平行な面内における前記複数の通過部の位置が、予め定められた時間毎に切り替わるバリア部と、
前記バリア部における前記複数の通過部の位置の切り替わりに対応して、前記複数の視点に対して表示すべき複数の視点毎画像のそれぞれにおいて、前記複数の遮蔽部における前記複数の通過部の位置に応じた位置の画像領域を抽出し、抽出した前記画像領域を前記予め定められた配列に応じた配列で並べた表示用画像を前記画像表示部に表示させる画像処理部と
を備える画像表示装置。
【請求項２】
前記画像処理部は、前記複数の通過部の位置を切り替えた場合に、前記複数の通過部の位置と、それぞれの視点毎画像に対応する前記画像領域の前記表示面における位置との相対関係が変化しないように、前記表示用画像を生成する
請求項１に記載の画像表示装置。
【請求項３】
前記バリア部のそれぞれの通過部は、前記画像表示部における画素と略同一の幅を有し、前記画素の幅のＮ倍（但し、Ｎは２以上の整数）の周期で配列され、
前記画像処理部は、前記視点毎画像毎に前記通過部の位置を前記通過部の幅だけシフトさせた前記バリア部を、対応する前記視点毎画像とを重ねた場合に前記通過部と重なる前記画像領域を抽出し、抽出した前記画像領域を対応する前記通過部の位置に応じて配列して前記表示用画像を生成する
請求項２に記載の画像表示装置。
【請求項４】
前記画像表示装置は、前記複数の視点に対する動画像を表示する３Ｄ表示モードと、１つの前記視点に対応する動画像を表示する２Ｄ表示モードとを有し、
前記３Ｄ表示モードの場合に、前記バリア部は、前記２Ｄ表示モードにおける１フレームに相当する期間内に、前記複数の通過部の位置をＮ個の異なる位置に順次切り替える
請求項３に記載の画像表示装置。
【請求項５】
与えられる２次元画像の全体を、それぞれ異なるシフト量でシフトすることで、前記複数の視点毎画像を生成する画像生成部を更に備える
請求項１から４のいずれか１項に記載の画像表示装置。
【請求項６】
前記バリア部は、設定される視点数に応じて、前記通過部が配列される周期を変更する
請求項３に記載の画像表示装置。
【請求項７】
前記画像表示装置は、前記通過部が配列される周期に応じて、前記表示用画像を表示する明るさを変更する
請求項６に記載の画像表示装置。
【請求項８】
複数の視点に対する画像を表示する画像表示方法であって、
画像表示部に画像を表示する画像表示工程と、
前記画像表示部が表示した画像を通過させる複数の通過部、および、前記画像表示部が表示した画像を遮蔽する複数の遮蔽部が、前記画像表示部の表示面に対向して予め定められた配列で形成され、且つ、前記画像表示部の表示面と平行な面内における前記複数の通過部の位置が、予め定められた時間毎に切り替わるバリア部において、前記複数の通過部の位置を予め定められた時間毎に切り替える工程と、
前記バリア部における前記複数の通過部の位置の切り替わりに対応して、前記複数の視点に対して表示すべき複数の視点毎画像のそれぞれにおいて、前記バリア部における前記複数の通過部の位置に応じた位置の画像領域を抽出し、抽出した前記画像領域を前記予め定められた配列に応じた配列で並べた表示用画像を前記画像表示部に表示させる画像処理工程と
を備える画像表示方法。
【発明の詳細な説明】
【技術分野】
【０００１】
本発明は、画像表示装置および画像表示方法に関する。
【背景技術】
【０００２】
従来、立体的画像を表示する方式として、パララックスバリア方式が知られている。パララックスバリア方式では、予め定められた位置における視聴者の左右の眼に対して、スリットを介して左眼用画像および右眼用画像を選択的に表示することで、立体的画像を表示する（例えば、特許文献１の図１参照）。また、パララックスバリア方式では、左右の２画像だけでなく複数視点の画像を分割して並べることによって、多視点画像を表示することもできる。
特許文献１  特開２００９−１３９９４７号公報
【発明の概要】
【発明が解決しようとする課題】
【０００３】
しかし、従来のパララックスバリア方式では、視点数を増やすほど、各視点における画像の解像度が低下する。例えば、水平方向の視点数をｍとすると、各視点における画像の水平方向の解像度は元の画像の１／ｍとなる。
【課題を解決するための手段】
【０００４】
上記課題を解決するために、本発明の第１の態様においては、複数の視点に対する画像を表示する画像表示装置であって、画像を表示する画像表示部と、画像表示部が表示した画像を通過させる複数の通過部、および、画像表示部が表示した画像を遮蔽する複数の遮蔽部が、画像表示部の表示面に対向して予め定められた配列で形成され、且つ、画像表示部の表示面と平行な面内における複数の通過部の位置が、予め定められた時間毎に切り替わるバリア部と、バリア部における複数の通過部の位置の切り替わりに対応して、複数の視点に対して表示すべき複数の視点毎画像のそれぞれにおいて、バリア部における複数の通過部の位置に応じた位置の画像領域を抽出し、抽出した画像領域を予め定められた配列に応じた配列で並べた表示用画像を画像表示部に表示させる画像処理部とを備える画像表示装置を提供する。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】被写体を３Ｄ表示するための撮像の一例を示す図である。
【図２】画像表示装置の第１の実施形態を示す図である。
【図３】バリア部の通過部が時間とともに切り替わる様子を示す図である。
【図４】画像処理部の構成例を示す図である。
【図５】画像表示部に表示するための画素を抽出する処理を示す図である。
【図６】各時刻における本実施形態の画像表示装置を示す図である。
【図７】画像表示部の実際の表示画像を示す図である。
【図８】画像表示装置の第２の実施形態を示す図である。
【図９】画像生成部の処理の様子を示す図である。
【図１０】画像表示装置の第３の実施形態を示す図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、複数の視点に向けて表示すべき複数の画像を取得する方法の一例を示す。図１では、被写体１０として、三角形、正方形、円形の表面を有する物体を手前から順に配置したものを用いて説明する。また、４視点の場合を例にとって説明するが、視点数は４視点に限定されない。
【０００９】
視点数に応じた４つのカメラ１１、１２、１３、及び１４が、各視点に対応する位置に配置される。例えば、カメラ１１からカメラ１４は、所定の間隔で水平方向に一列に配置される。所定の間隔は、人間の眼間距離と略同一であってもよい。人間の眼間距離は、６．５ｃｍ程度であってよい。
【００１０】
それぞれのカメラ１１、１２、１３、及び１４で撮像したそれぞれの画像は、例えば、画像Ａ、画像Ｂ、画像Ｃ、及び画像Ｄに示すように、対応するカメラ１１、カメラ１２、カメラ１３、及びカメラ１４の位置に応じて、他の画像に対して視差を有する。これらの画像を、それぞれの視点に向けて表示することで、所定の位置にいる観察者に対して立体的画像を表示できる。なお、各視点に対応する画像は、他の方法により取得してもよい。
【００１１】
図２は、画像表示装置１００の第１の実施形態を示す。画像表示装置１００は、画像表示部２０、バリア部３０、及び画像処理部４０を含む。画像表示部２０は、視点毎画像（画像Ａから画像Ｄ）から抽出した画素列を所定の順序で配列した画像を表示する。例えば、画像表示部２０は、視点１に対応する画素列Ｌ２、視点２に対応する画素列Ｒ２、視点３に対応する画素列Ｌ１、及び視点４に対応する画素列Ｒ１を、Ｌ１、Ｒ１、Ｌ２、Ｒ２の順序で配列した画像を表示する。
【００１２】
バリア部３０は、画像表示部２０の画像表示面に対向して、且つ、所定の距離Ｄだけ離隔して配置される。バリア部３０は、複数の通過部２１と、複数の遮蔽部２２を有する。バリア部３０は、パララックスバリアであってよい。
【００１３】
複数の遮蔽部２２は、複数の通過部２１が、横方向において所定の周期で配列されるように設けられる。ここで、横方向とは、通過部２１及び遮蔽部２２が交互に配列される配列方向を指す。例えば、それぞれの通過部２１の横方向の幅をＷとして、視点数をＮとすると、複数の通過部２１は、Ｗ×Ｎの周期で配列されてよい。図２に示すように、通過部２１の横方向の幅が１画素分であり、視点数が４の場合、通過部２１は、横方向において４画素毎に配置される。それぞれの通過部２１の間には、遮蔽部２２が設けられる。
【００１４】
このような構成により、複数の通過部２１は、各視点に対して、画像表示部２０が表示した複数の画素列のうち対応する画素列からの光を通過して表示させる。一方、複数の遮蔽部２２は、各視点に対して、画像表示部２０が表示した複数の画素列のうち対応しない画素列からの光を遮蔽する。
【００１５】
例えば、視点１の左眼は、対応する画素列Ｌ２からの光を観察することができるが、それ以外の画素列Ｌ１、Ｒ１、Ｒ２からの光は遮蔽部２２によって遮られ、観察することはできない。視点２の右眼は、画素列Ｒ２からの光を観察することができるが、それ以外の画素列Ｌ１、Ｌ２、Ｒ１からの光を観察することはできない。視点３の左眼は、画素列Ｌ１からの光を観察することができるが、それ以外の画素列Ｌ２、Ｒ１、Ｒ２からの光は遮蔽部２２に遮られて観察することができない。視点４の右眼は、画素列Ｒ１からの光を観察することができるが、それ以外の画素列Ｌ１、Ｌ２、Ｒ２からの光を観察することはできない。
【００１６】
なお、通過部２１は、所定の時間毎に横方向の位置が切り替わる。複数の通過部２１の横方向における周期が変化しないように、それぞれの通過部２１の位置が切り替わってよい。これに伴い、それぞれの通過部２１の間に設けられる遮蔽部２２も、所定の時間毎に横方向の位置が切り替わる。バリア部３０は、液晶パネルによって通過部２１の位置が横方向に変更可能なように構成してよく、あるいは、パララックスバリア全体の位置を横方向に移動できるように構成してもよい。
【００１７】
画像処理部４０は、複数の視点画像のそれぞれから、複数の通過部２１の横方向の位置に応じた画素列を抽出する。その後、抽出した画素列を所定の配列で横方向に並べた表示用画像を作成する。本実施形態において、複数の通過部２１の位置は、所定の時間が経過する毎に変化する。画像処理部４０は、通過部２１の位置の変化に応じた画素列を視点画像毎に抽出する。
【００１８】
図３は、バリア部３０における通過部２１の横方向の位置が所定の時間毎に切り替わる様子を示す。図３（Ａ）は時刻ｔ＝ｔ１におけるバリア部３０の通過部２１の位置を示し、図３（Ｂ）は時刻ｔ＝ｔ２におけるバリア部３０の通過部２１の位置を示し、図３（Ｃ）は時刻ｔ＝ｔ３におけるバリア部３０の通過部２１の位置を示し、図３（Ｄ）は時刻ｔ＝ｔ４におけるバリア部３０の通過部２１の位置を示す。
【００１９】
通過部２１の位置が切り替わる所定の時間は、動画像を表示する場合の１フレームの時間を、視点数で除算した値であってよい。例えば、１フレームの時間が１／３０秒であり、視点数が４の場合、当該所定の時間は１／１２０秒となる。この例において、説明の都合上、バリア部３０を縦方向に短冊状に９分割して示す。縦方向とは、複数の通過部２１および遮蔽部２２が設けられる面と平行な面内において、上述した横方向と直交する方向を指す。通過部２１の横方向の幅は、画像表示部２０の表示面に表示される画素列の横方向の幅（Ｒ１、Ｌ１、Ｒ２、Ｌ２等の幅）と略同一であってよい。
【００２０】
図３の例では、所定の時間毎に、通過部２１の横方向の位置が、通過部２１の幅ずつ順次右側にずれていく。上述したように、通過部２１と遮蔽部２２の位置の切り替えは、液晶パネルを用いてよい。本例において液晶パネルを制御する液晶制御部（図示せず）を更に備えてもよい。
【００２１】
図４は、画像処理部４０の構成例を示す図である。本例の画像処理部４０は、入力部４１、演算部４２、出力部４３、入力部４１に接続されるメモリ４４、及び、演算部４２に接続されるメモリ４５を有する。メモリ４４は、カメラ１１〜１４が撮像した２次元画像を格納する記憶装置である。メモリ４４はＲＡＭであってよい。メモリ４５は以下で説明する画像処理を実行するプログラムを格納する。メモリ４５はＲＯＭであってよい。演算部４２は、メモリ４５に格納されたプログラムに沿って画像を処理するＣＰＵであってよい。
【００２２】
入力部４１に入力された各視点に対応する２次元画像は、所定の幅の画素列に分割され、メモリ４４に格納される。具体的には、それぞれの２次元画像は、通過部２１の幅と略同一の幅の画素列に分割される。例えば、通過部２１が１画素分の幅を有する場合、２次元画像は、１画素分の幅の画素列に分割されてよい。メモリ４４は画素列単位でデータを演算部４２に出力する。
【００２３】
演算部４２は、通過部２１の位置の切り替わりに応じて画像表示部２０が表示すべき画像を、メモリ４４が格納した２次元画像から生成する。演算部４２は、通過部２１の位置が切り替わる周期と略同一の周期で表示用画像を生成してよい。演算部４２は、それぞれの視点毎画像から生成した表示用画像を画像表示部２０が表示する時刻ｔにおける通過部２１の位置に応じた位置の画素列を、それぞれの視点毎画像から抽出する。
【００２４】
出力部４３は、演算部４２が抽出した画素列を所定の配列で並べた表示用画像のデータを画像表示部２０に供給する。画像表示部２０は受け取ったデータを表示する。
【００２５】
バリア部３０における複数の通過部２１の位置の切り替えと、画像表示部２０で合成される表示用画像の切り替えとは同期して行われる。液晶パネルにより通過部２１の位置を切り替える場合、画像処理部４０の動作と、液晶制御部の動作とは同期するように構成するのが好ましい。
【００２６】
図５は、画像処理部４０の動作を示す。図５（Ａ）は、図１の画像Ａから、時刻ｔ＝ｔ１、ｔ２、ｔ３、及びｔ４のそれぞれの時刻に表示すべき画素列を抽出する処理を示す。図５（Ｂ）は、図１の画像Ｂから、時刻ｔ＝ｔ１、ｔ２、ｔ３、及びｔ４のそれぞれの時刻に表示すべき画素列を抽出する処理を示す。図５（Ｃ）は、図１の画像Ｃから、時刻ｔ＝ｔ１、ｔ２、ｔ３、及びｔ４のそれぞれの時刻に表示すべき画素列を抽出する処理を示す。図５（Ｄ）は、図１の画像Ｄから、時刻ｔ＝ｔ１、ｔ２、ｔ３、及びｔ４のそれぞれの時刻に表示すべき画素列を抽出する処理を示す。
【００２７】
ここで、説明を簡単にするべく、図１の画像Ａ、画像Ｂ、画像Ｃ、及び画像Ｄのそれぞれを、縦方向に短冊状に９個の画素列に分割する例を説明する。また、バリア部３０において複数の通過部２１および複数の遮蔽部２２が設けられる領域の横方向の幅が、１つの通過部２１の横方向の幅の９倍であり、且つ、各時刻ｔにおける通過部２１の位置が図３（Ａ）から図３（Ｄ）に示したように変化する列を説明する。
【００２８】
なお、画像Ａを分割した各画素列を、画素列Ａ−ｋとする。ここで、ｋは、画素列の左からの順番を表す１から９の整数であってよい。例えば、画像Ａにおける左から一番目の画素列はＡ−１と表記する。同様に、画像Ｂ、Ｃ、Ｄを分割した各画素列を、画素列Ｂ−ｋ、Ｃ−ｋ、Ｄ−ｋとする。
【００２９】
また、図５（Ａ）から図５（Ｄ）に示した各時刻ｔの２次元画像において、白抜きの画素列は、当該時刻に表示すべき表示用画像の画素列として抽出される画素列を示し、網掛けの画素列は、当該時刻に表示すべき表示用画像の画素列として抽出されない画素列を示す。演算部４２は、それぞれの視点毎画像（画像Ａから画像Ｄ）について、通過部２１の位置が切り替わっても、複数の通過部２１の位置と、表示する画素列の位置との相対関係が変化しないように、画素列を抽出する。
【００３０】
例えば演算部４２は、画像Ａについて、通過部２１の位置と、画像表示部２０が表示する画素列の位置とが一致するように、画素列を抽出してよい。つまり、図３（Ａ）から図３（Ｄ）に示したように通過部２１の位置が切り替わる場合、図５（Ａ）に示すように、画像Ａから抽出される画素列の位置が切り替わる。
【００３１】
また演算部４２は、画像Ｂについて、通過部２１の位置よりも、画像表示部２０が表示する画素列の位置が画素列の幅だけ左にずれるように、画素列を抽出してよい。同様に、演算部４２は、画像Ｃについて、通過部２１の位置よりも、画像表示部２０が表示する画素列の位置が画素列の幅の２倍だけ左にずれるように、画素列を抽出してよい。同様に、演算部４２は、画像Ｄについて、通過部２１の位置よりも、画像表示部２０が表示する画素列の位置が画素列の幅の３倍だけ左にずれるように、画素列を抽出してよい。
【００３２】
図６（Ａ）、（Ｂ）、（Ｃ）、（Ｄ）は、それぞれ時刻ｔ＝ｔ１、ｔ２、ｔ３、ｔ４における画像表示装置１００の動作例を概略的に示す。上述したように、それぞれの時刻において、通過部２１の位置、および、画像表示部２０が表示する画像が同期して切り替わる。
【００３３】
時刻ｔ＝ｔ１において、画像表示部２０は、図５に関連して説明したように、画像Ａから画像Ｄのそれぞれから抽出した画素列（Ａ−１、Ａ−５、Ａ−９、・・・、Ｄ−２、Ｄ−６）を、所定の順序で配列した表示用画像を表示する。例えば画像表示部２０は、それぞれの画素列について、元の視点毎画像における当該画素列の横方向の位置と、表示用画像における当該画素列の横方向の位置とが一致するように配列してよい。図５および図６に示した例では、各時刻において抽出した画素列Ｘ−１、Ｘ−２、Ｘ−３、・・・、Ｘ−８、Ｘ−９（但し、ＸはＡ、Ｂ、Ｃ、Ｄのいずれか）を、この順に表示用画像の左から配列してよい。
【００３４】
図５に関連して説明したように、視点毎画像（画像Ａから画像Ｄ）のそれぞれから抽出する画素列の位置と、通過部２１の位置との相対関係が、視点毎画像ごとに一定の関係に固定されるので、それぞれの視点毎画像から抽出された画素列が表示される画像表示部２０の表示面における位置と、通過部２１の位置との相対関係は、通過部２１の位置および表示用画像が切り替わっても一定となる。
【００３５】
以上のように、画像表示装置１００は、通過部２１の位置を時分割で変化させ、且つ、通過部２１の位置の変化に同期して表示画像を切り替えることでそれぞれの視点毎画像の全ての画素列を表示する。このため、視点数を増加させた場合でも、視点毎画像の表示分解能が低下することを防ぐことができる。
【００３６】
なお、画像Ａから抽出された画素列（例えば時刻ｔ＝ｔ１における画素列Ａ−１、画素列Ａ−５、画素列Ａ−９）からの光は通過部２１を介して対応する視点４に達するが、他の画素列から視点４に向かう光は遮蔽部２２によって遮られる。他の視点に対しても同様に、対応する画素列からの光は、各視点に到達し、対応しない画素列からの光は遮蔽部２２により遮られる。
【００３７】
また、各時刻ｔにおいて、それぞれの視点毎画像から抽出された画素列が表示される画像表示部２０の表示面における位置と、通過部２１の位置との相対関係が変化しないので、各時刻ｔにおいて、各視点に対しては、対応する画素列のみが表示される。このため、視点毎画像の表示分解能が低下することを防ぎつつ、立体的画像を提供することができる。
【００３８】
図７は、本実施形態において生成された表示用画像の例を示す。これらの画像は、画像表示部２０が表示する表示用画像を示す。図７（Ａ）は時刻ｔ１で生成される表示用画像であり、図７（Ｂ）は時刻ｔ２で生成される表示用画像であり、図７（Ｃ）は時刻ｔ３で生成される表示用画像であり、図７（Ｄ）は時刻ｔ４で生成される表示用画像であってよい。
【００３９】
本実施形態によれば、バリア部３０における複数の通過部の位置の切り替えと画像表示部２０における視点毎画像の切り替えとが同期しており、かつ、通過部の位置の切り替えが時間分割して高速で行われるので、多視点であっても従来に比べ高解像度の３Ｄ映像を提供することができる。
【００４０】
また、本実施形態の画像表示装置１００は、複数の視点に対する動画像を表示する３Ｄ表示モードの他に、１つの視点に対する動画像を表示する２Ｄ表示モードを有してよい。２Ｄ表示モードにおいて、バリア部３０は、画像表示部２０の表示面に対向するすべての遮蔽部２２を通過部２１とする。
【００４１】
３Ｄ表示モードにおいて、複数の通過部２１の位置をＮ個（ただし、視点数をＮとする）の異なる位置に順次切り替えるのに要する時間は、２Ｄ表示モードにおける１フレーム分に相当する時間であってよい。つまりバリア部３０は、１フレームの期間をＮ分割したそれぞれの分割期間毎に、通過部２１の位置を切り替えてよい。また、２Ｄ表示モードの場合、出力部４３は、入力部４１に入力された２次元画像を、演算部４２を介さずに受け取ってよい。
【００４２】
図８は、画像表示装置１００の第２の実施形態を示すブロック図である。第２の実施形態は、第１の実施形態で説明した画像表示装置１００に加え、画像生成部７０を更に備える。それ以外は、上述した第１の実施形態と同様なので説明を省略する。画像生成部７０は、単一の視点に対応する１つの２次元画像から、複数の視点に向けて表示する複数の視点毎画像を生成する。
【００４３】
１つの２次元画像から、２視点に対する２つの視点毎画像（右画像および左画像）を生成する場合、画像生成部７０は、与えられる２次元画像の全体を相対的に逆方向にシフトすることで、右画像および左画像を生成してよい。例えば、画像生成部７０は、右画像および左画像の横方向における相対的なシフト量が、人間の眼間距離と略同一となるように、与えられる２次元画像の全体をシフトして右画像および左画像を生成する。
【００４４】
また、画像生成部７０は、生成した右画像および左画像から、複数の右画像及び左画像（Ｒ１、Ｌ１、Ｒ２、Ｌ２）を生成してもよい。生成した複数の右画像及び左画像は画像処理部４０の入力部４１に入力され、メモリ４４に格納される。
【００４５】
図９は、画像生成部７０における処理例を説明する図である。画像生成部７０は、受け取った２次元画像をもとにして、所定の眼幅シフト量ｄだけ、画像全体が水平方向に相対的にシフトした左画像１および右画像１（Ｌ１、Ｒ１）を生成してよい。次に、左画像１及び右画像１（Ｌ１、Ｒ１）の全体を所定のシフト量ｄａだけ、水平方向にシフトすることで、第２の左画像２及び右画像２（Ｌ２、Ｒ２）を生成してよい。ここで、ｄ／２＞ｄａであってよい。本実施形態によれば、多視点画像を２次元画像から容易に生成することができる。
【００４６】
図１０は、画像表示装置１００の第３の実施形態を示すブロック図である。第３の実施形態に係る画像表示装置１００は、図８で説明した第２の実施形態の構成に加え、視点数設定部８０を更に備える。それ以外は、上述した第２の実施形態と同様なので説明を省略する。
【００４７】
視点数設定部８０は、画像生成部７０に対して視点数ｍを設定する。視点数設定部８０は、使用者等から設定される値により、視点数ｍを設定してよい。バリア部３０は、設定される視点数ｍに応じて、複数の通過部２１が配列される横方向の位置の周期を変更してよい。
【００４８】
また、画像生成部７０は、与えられる２次元画像の全体を、それぞれ異なるシフト量でシフトすることで、設定される視点数ｍに応じた数の複数の視点毎画像を生成してよい。隣接する視点毎画像の間のシフト量は同一であってよい。
【００４９】
視点数ｍの変更に対応して、バリア部３０における通過部２１および遮蔽部２２の面積比が変更された場合には、画像表示部２０は通過部２１および遮蔽部２２の面積比に応じて、表示用画像を表示する明るさを変更してよい。例えば、画像表示部２０は、バックライトの明るさを変えることにより、明るさを調節する。画像表示部２０は、バリア部３０から照射される光量が、視点数ｍの値によって変化しないように、バックライトの明るさを調整してよい。こうすることにより、通過部２１の数に応じて画像の明るさを補正することができ、画像表示部２０は適正な明るさで画像表示することができる。
【００５０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５２】
１０・・・被写体、１１、１２、１３、１４・・・カメラ、２０・・・画像表示部、２１・・・通過部、２２・・・遮蔽部、３０・・・バリア部、４０・・・画像処理部、４１・・・入力部、４２・・・演算部、４３・・・出力部、４４、４５・・・メモリ、７０・・・画像生成部、８０・・・視点数設定部、１００・・・画像表示装置
【図１】
2011158722.tif 000003
【図２】
2011158722.tif 000004
【図３】
2011158722.tif 000005
【図４】
2011158722.tif 000006
【図５】
2011158722.tif 000007
【図６】
2011158722.tif 000008
【図７】
2011158722.tif 000009
【図８】
2011158722.tif 000010
【図９】
2011158722.tif 000011
【図１０】
2011158722.tif 000012